(57)【要約】【目的】カメラ付き携帯電話１が鞄等の中にあり，すぐに応答できないことを発呼者に知らせる。【構成】着信があると，カメラ装置２１により一定周期で撮像が繰り返され，映像信号が得られる。また，呼出音スピーカ１５から呼び出し音が出力される。映像信号レベルが所定レベル以下であり，かつ呼出音が一定周波数以下であると，携帯電話１が鞄等の中にあると判断される。携帯電話１が鞄等の中にあり，取り出し中であることを示すメッセージが発呼者に送信される。携帯電話１の持ち主の状況が発呼者に知らせることができる。【選択図】　図３
2004120445.tif 000002
【特許請求の範囲】
【請求項１】
被写体を撮像し，被写体像を表す映像信号を出力するカメラ装置，
呼出音を出力する呼出音装置，
着信に応じて呼出音が出力されるように上記呼出音装置を制御する呼出音装置制御手段，
着信に応じて被写体の撮像を繰り返すように上記カメラ装置を制御するカメラ装置制御手段，
上記呼出音装置制御手段による制御にもとづいて出力される呼出音が所定の音であり，かつ上記カメラ装置制御手段による制御にもとづく撮影により上記カメラ装置から出力される映像信号のレベルが第１の所定レベル以下であるかどうかを判定する第１の判定手段，および
上記第１の判定手段により，上記呼出音が所定の音であり，かつ上記映像信号のレベルが第１の所定レベル以下であると判定されたことに応じて通話モードを自動応答モードに切り換える第１の切換制御手段，
を備えたカメラ機能付き携帯電話。
【請求項２】
着信から第１の所定時間の間に上記カメラ装置から出力される映像信号のレベルが第２のレベル以上となったかどうかを判定する第２の判定手段，および
上記第２の判定手段により上記映像信号のレベルが第２のレベル以上となったと判定されたことにより通話モードに切り換える第２の切換制御手段，
を備えた請求項１に記載のカメラ機能付き携帯電話。
【請求項３】
上記第２の判定手段により上記映像信号レベルが第２のレベル以上とならないことにより，応答準備中メッセージを発呼者に送信する第１の送信手段，
をさらに備えた請求項２に記載のカメラ機能付き携帯電話。
【請求項４】
着信から上記第１の所定時間の経過後上記第２の所定時間の間に上記カメラ装置から出力される映像信号のレベルが第３のレベル未満であるかどうかを判定する第３の判定手段，および
上記第３の判定手段により上記映像信号のレベルが第３のレベル未満であると判定されたことにより通話不可を示すメッセージを発呼者に送信する第２の送信手段，
をさらに備えた請求項２に記載のカメラ機能付き携帯電話。
【請求項５】
被写体を撮像し，被写体像を表す映像信号を出力するカメラ装置および呼出音を出力する呼び出し音装置を備えたカメラ付き携帯電話において，
着信に応じて，呼出音が出力されるように上記呼出音装置を制御し，かつ被写体の撮像を繰り返すように上記カメラ装置を制御し，
上記着信に応じた制御にもとづいて出力される呼出音が所定の音であり，かつ上記着信に応じた制御にもとづく撮像により上記カメラ装置から出力される映像信号のレベルが所定レベル以下であるかどうかを判定し，
上記呼出音が所定の音であり，かつ上記映像信号のレベルが所定レベル以下であると判定されたことに応じて通話モードを自動応答モードにきり替える，
カメラ付き携帯電話の制御方法。
【発明の詳細な説明】
【０００１】
【技術分野】
この発明は，カメラ付き携帯電話およびその制御方法に関する。
【０００２】
【発明の背景】
携帯電話の自動着信については様々な手法がある（例えば，特許文献１）。しかしながら，携帯電話は，鞄やポケットの中に入っていることが多い。携帯電話が鞄やポケットの中に入っているときに呼出音がなっても携帯電話の持ち主は気づかないことがある。発呼者は何故応答されないのか分からない。
【０００３】
【特許文献１】
特開平１０−１７３７６８号公報
【０００４】
【発明の開示】
この発明は，応答しない理由を発呼者に知らせることを目的とする。
【０００５】
この発明によるカメラ付き携帯電話は，被写体を撮像し，被写体像を表す映像信号を出力するカメラ装置，呼出音を出力する呼出音装置，着信に応じて呼出音が出力されるように上記呼出音装置を制御する呼出音装置制御手段，着信に応じて被写体の撮像を繰り返すように上記カメラ装置を制御するカメラ装置制御手段，上記呼出音装置制御手段による制御にもとづいて出力される呼出音が所定の音であり，かつ上記カメラ装置制御手段による制御にもとづく撮影により上記カメラ装置から出力される映像信号のレベルが第１の所定レベル以下であるかどうかを判定する第１の判定手段，および上記第１の判定手段により，上記呼出音が所定の音であり，かつ上記映像信号のレベルが第１の所定レベル以下であると判定されたことに応じて通話モードを自動応答モードに切り換える第１の切換制御手段を備えていることを特徴とする。
【０００６】
この発明は，上記カメラ機能付き携帯電話に適した制御方法も提供している。すなわち，この方法は，被写体を撮像し，被写体像を表す映像信号を出力するカメラ装置および呼出音を出力する呼び出し音装置を備えたカメラ付き携帯電話において，着信に応じて，呼出音が出力されるように上記呼出音装置を制御し，かつ被写体の撮像を繰り返すように上記カメラ装置を制御し，上記着信に応じた制御にもとづいて出力される呼出音が所定の音であり，かつ上記着信に応じた制御にもとづく撮像により上記カメラ装置から出力される映像信号のレベルが所定レベル以下であるかどうかを判定し，上記呼出音が所定の音であり，かつ上記映像信号のレベルが所定レベル以下であると判定されたことに応じて通話モードを自動応答モードにきり替えるものである。
【０００７】
この発明によると，着信があると呼出音が出力される。また，着信に応じて撮像が繰り返される。呼出音が所定の音であり，かつ撮像により得られた映像信号レベルが所定レベル以下かどうかが判定される。カメラ付き携帯電話が鞄やポケットの中にあると，呼出音は所定の音となり（例えば，携帯電話が鞄やポケットの中にあるときの呼出音の周波数よりも低い周波数の音となる），かつ撮像により得られた映像信号のレベルは所定レベル以下となることが多い。
【０００８】
この発明によると，呼出音が所定の音であり，かつ撮像により得られた映像信号レベルが所定レベル以下と判定されると，カメラ付き携帯電話は鞄やポケットの中にあると判断され通常の通話モードが自動応答モードに切り換えられる。自動応答モードにおいて，携帯電話が鞄やポケットの中にあることが発呼者に知らせられる。発呼者は携帯電話を取り出すために応答に時間がかかっていることがわかる。発呼者は呼出を止めずに相手が電話に応答するまで待つようになる。鞄やポケットなどの中から携帯電話の取り出しに時間がかかる場合であっても通話ができるようになる。
【０００９】
着信から第１の所定時間の間に上記カメラ装置から出力される映像信号のレベルが第２のレベル以上となったかどうかを判定する第２の判定手段，および上記第２の判定手段により上記映像信号のレベルが第２のレベル以上となったと判定されたことにより通話モードに切り換える第２の切換制御手段を備えることが好ましい。
【００１０】
映像信号レベルが第２のレベル以上となるときには，カメラ付き携帯電話が鞄やポケットなどの中から取り出され，暗い場所にあった携帯電話が通話のために明るい場所に出されたと考えられる。このために通話モードに設定される。
【００１１】
上記第２の判定手段により上記映像信号レベルが第２のレベル以上とならないことにより，応答準備中メッセージを発呼者に送信する第１の送信手段をさらに備えるようにしてもよい。
【００１２】
映像信号レベルが第２のレベル以上にならないときは，カメラ付き携帯電話依然として鞄やポケットの中にあると考えられる。このために通話モードにはならずに未だ応答準備中である旨のメッセージが発呼者に送信される。
【００１３】
着信から上記第１の所定時間の経過後上記第２の所定時間の間に上記カメラ装置から出力される映像信号のレベルが第３のレベル未満であるかどうかを判定する第３の判定手段，および上記第３の判定手段により上記映像信号のレベルが第３のレベル未満であると判定されたことにより通話不可を示すメッセージを発呼者に送信する第２の送信手段をさらに備えるようにしてもよい。
【００１４】
映像信号レベルが第３のレベル未満であると依然としてカメラ付き携帯電話は鞄やポケットの中にあり，携帯電話の持ち主は着信があったことに気づいていない，または携帯電話の近くにいないと考えられる。さらに呼出音を出力してもカメラ付き携帯電話の持ち主は気づかないと考えられ，通話不可のメッセージが発呼者に送信される。発呼者は相手が電話に応答できない状態であることが分かる。
【００１５】
第１のレベルと第２のレベルと第３のレベルとは同じものでもよい。
【００１６】
【実施例の説明】
図１は，この発明の実施例を示すものでカメラ付き携帯電話の斜視図である。
【００１７】
カメラ付き携帯電話１は，第１の半体２と第２の半体１０とを備えている。第１の半体２と第２の半体１０とは丁番６によって折り曲げ自在に連結されている。
【００１８】
第１の半体２の内側には，その上部に通話用スピーカ４が設けられている。通話用スピーカ４の下にはメイン表示画面５が形成されている。
【００１９】
第１の半体２の上部からはアンテナ３が突出している。
【００２０】
第２の半体１０の内側のほぼ全面にわたってテン・キーパッド１３が設けられている。このテン・キーパッド１３の左上には終了ボタン１１が設けられている。テン・キーパッド１３の右上には開始ボタン１２が設けられている。さらに，テン・キーパッド１３の下にはマイクロフォン１４が設けられている。
【００２１】
図２は，カメラ付き携帯電話１を折り曲げた状態を示している。この図において図１に示すものと同一物については同一符号を付して説明を省略する。
【００２２】
第１の半体２の外側には少し上部にサブ表示画面７が形成されている。サブ表示画面７の右下にはカメラ・レンズ８が露出している。後述するカメラ装置によって撮像された画像がメイン表示画面５およびサブ表示画面７に表示される。
【００２３】
また，第２の半体１０の外側には呼出音を出力するための呼出音用スピーカが設けられている。
【００２４】
図３は，カメラ付き携帯電話１の電気的構成を示すブロック図である。
【００２５】
カメラ付き携帯電話１の全体の動作は制御回路２０によって統括される。
【００２６】
制御回路２０には，上述したカメラ・レンズ８によって結像した被写体像を表す画像データを出力するカメラ装置２１が接続されている。また，後述するように所定のメッセージを示すデータその他のデータを記憶する記憶回路２２が制御回路２０に接続されている。さらに，制御回路２０には，上述したメイン表示画面５をもつメイン表示装置２４およびサブ表示画面７をもつサブ表示装置２５が接続されている。また，制御回路２０には上述した，終了ボタン１１，開始ボタン１２，テン・キーパッド１３等を含む操作ボタン２６からの信号が入力する。
【００２７】
制御回路２０には，さらに音声データ処理回路２７が接続されている。この音声データ処理回路２７に，上述したマイクロフォン１４，通話用スピーカ４および呼出音用スピーカ１５が接続されている。
【００２８】
他の携帯電話等と通話，データ通信等するためにカメラ付き携帯電話１には無線回路２３が含まれている。この無線回路２３に上述したアンテナ３が接続されている。発呼データ，他の携帯電話等から送信された音声データ等がアンテナ３を介して無線回路２３に入力する。入力した音声データ等が無線回路２３において復調等されて制御回路２０に入力する。
【００２９】
制御回路２０に発呼データが入力した場合には，その発呼データは，音声データ処理回路２７を介して呼出音用スピーカ１５に与えられる。すると，呼出音用スピーカ１５から呼び出し音が出力される。アンテナ３によって受信した音声データが制御回路２０に入力すると，その音声データは音声データ処理回路２７に入力し，アナログ音声信号に変換される。アナログ音声信号が通話用スピーカ４に入力し，通話用スピーカ４から相手の声が出力される。
【００３０】
マイクロフォン１４に音声が入力すると，音声信号がマイクロフォン１４から音声データ処理回路２７に入力する。音声データ処理回路２７において音声信号からディジタル音声データに変換されて制御回路２０に入力する。音声データが無線回路２３において変調され，アンテナ３を介して通話相手の電話に送信される。
【００３１】
図４および図５は，この実施例によるカメラ付き携帯電話１に着信があった場合の処理手順を示すフローチャートである。
【００３２】
この実施例によるカメラ付き携帯電話１においては，着信があるとカメラ付き携帯電話１が鞄やポケットの中等にあるかどうかが判断される。カメラ付き携帯電話１が鞄やポケットの中にあるかどうかの判断は呼出音スピーカ１５から出力される呼び出し音およびカメラ装置２１から出力される映像信号にもとづいて行われる。カメラ付き携帯電話１が鞄やポケットの中にあると判断されると，自動応答モードとなり，カメラ付き携帯電話１が鞄やポケットの中にあるためにすぐには応答できない旨のメッセージが発呼者に送信される。さらに詳しくは，以下の説明によって明らかとなろう。
【００３３】
着信があると，上述したように呼出音用スピーカ１５から呼び出し音が出力される。また，カメラ装置２１によって一定周期で撮像が繰り返される（ステップ３１）。カメラ装置２１から出力された映像信号が制御回路２０に入力する。映像信号レベルが所定レベル以上かどうかが判断される（ステップ３２）。
【００３４】
カメラ付き携帯電話１が鞄やポケットの中にあると，回りが暗いのでカメラ装置２１によって撮像した場合に，撮像により得られた映像信号レベルは低い。このために撮像により得られた映像信号レベルが所定レベルより低ければ鞄やポケットの中にある可能性がある。しかしながら，夜や室内の暗い場所にカメラ付き携帯電話１が置かれていた場合にもカメラ装置２１から出力される映像信号レベルが低くなる可能性がある。カメラ付き携帯電話１がそのような場所に置かれていた場合と鞄やポケットの中にある場合とが区別できないことがある。このためにこの実施例におけるカメラ付き携帯電話１においては着信があった場合には，呼出音がマイクロフォン１４によって検出される。マイクロフォン１４によって検出された呼出音の周波数が一定周波数未満であれば，カメラ付き携帯電話１は鞄やポケットの中にあると判断される。マイクロフォン１４によって検出された呼出音が一定周波数以上であれば，カメラ付き携帯電話１は鞄やポケットの中には無いと判断される。カメラ付き携帯電話１が鞄やポケットの中にあると呼出音の音がこもり，一定周波数未満の音となるからである。
【００３５】
カメラ装置２１から出力される映像信号レベルが所定レベル以上であるか（ステップ３２でＹＥＳ），一定の周波数以上の呼出音が検出されると（ステップ３３でＹＥＳ），カメラ付き携帯電話１は，鞄やポケットの中には無いと判断される。カメラ付き携帯電話１を鞄やポケットの中から取り出す必要がないので通常の通話モード（通常の呼出音に応じてオフ・フック・ボタン１１が押されることにより通話が行われるモード）に設定される（ステップ３４）。
【００３６】
映像信号レベルが所定レベル未満であり（ステップ３２でＮＯ），かつ一定の周波数以上の呼出音が検出されなければ（ステップ３３でＮＯ），カメラ付き携帯電話１は鞄やポケットの中にあると判断される。すると，着信から一定時間内に所定レベルの映像信号が得られたどうかが判断される（ステップ３５）。
【００３７】
着信から一定時間内に所定レベルの映像信号が得られると（ステップ３５でＹＥＳ），鞄やポケットの中にあったカメラ付き携帯電話１が取り出されたと考えられる。このために通話モードに設定される（ステップ４０）。着信から一定時間内に所定レベルの映像信号が得られなければ（ステップ３５でＮＯ），カメラ付き携帯電話１は未だに鞄やポケットの中にあると判断されるこのために自動応答モードに設定される（ステップ３６）。すると，カメラ付き携帯電話１が鞄やポケットの中にあり，取り出している最中であることを示すメッセージ・データ（応答準備中のメッセージ・データ）が発呼者に送信される（ステップ３７）。発呼者はメッセージを聞く（または見る）ことにより，カメラ付き携帯電話１の持ち主の状況が分かることとなる。可能であれば，さらに待つこととなろう。メッセージ・データは記憶回路２２内に記憶されているのはいうまでもない。メッセージの送信中もカメラ付き携帯電話１の持ち主を呼び出すために，呼び出し音は呼出音スピーカから出力される。
【００３８】
メッセージの送信後さらに一定時間内に所定レベル以上の映像信号が得られたかどうかが確認される（ステップ３８）。所定レベルの映像信号が得られると（ステップ３８でＹＥＳ），カメラ付き携帯電話１が鞄やポケットの中から取り出されたと判断されるので通話モードとされる（ステップ４０）。所定レベルの映像信号が得られなければ（ステップ３８でＮＯ），通話不可のメッセージが発呼者に送信される（ステップ３９）。発呼者は呼出を停止することとなろう。
【００３９】
上述した回路はハードウエアにより構成されているがソフトウエアにより構成されるようにしてもよい。
【図面の簡単な説明】
【図１】カメラ付き携帯電話の斜視図である。
【図２】カメラ付き携帯電話を折り曲げた状態を示している。
【図３】カメラ付き携帯電話の電気的構成を示すブロック図である。
【図４】カメラ付き携帯電話の処理手順を示すフローチャートである。
【図５】カメラ付き携帯電話の処理手順を示すフローチャートである。
【符号の説明】
１　カメラ付き携帯電話
３　アンテナ
８　カメラ・レンズ
１４　マイクロフォン
１５　呼出音用スピーカ
２０　制御回路
２１　カメラ装置
２２　記憶回路
２７　音声データ処理回路
【図１】
2004120445.tif 000003
【図２】
2004120445.tif 000004
【図３】
2004120445.tif 000005
【図４】
2004120445.tif 000006
【図５】
2004120445.tif 000007